(57)【特許請求の範囲】
【請求項１】
歯槽骨に埋植されるフィクスチャ−に結合された時に歯茎と接触される歯茎接触部位の少なくとも一部の部位が下端から上端に行くほど外面の直径が小さくなるように傾いた傾斜区間を有する本体部と、
前記本体部と結合されて前記本体部を前記フィクスチャ−に着脱可能に結合させる結合部と、を含み、
前記本体部は、外面が前記フィクスチャ−の上端に接する領域から所定長手区間にわたって直線に形成されるが、前記フィクスチャ−の上端に形成された突出部が挿入されて支持される挿入溝が内側に形成される広幅直線区間をさらに含み、
前記本体部の上端部には上面から所定深さ陷沒形成された工具溝が形成され、
前記工具溝には、印象コーピングが着脱可能に所定の長手区間にわたってネジが形成されたネジ部と、前記ネジ部に隣接するように配されて工具が挿入可能な工具係止部が設けられており、
前記本体部と前記結合部は、一体に設けられることを特徴とする治癒支台柱。
【請求項２】
前記傾斜区間は外面から半径方向内側に向けて所定の曲率半径を有して凹状に形成されることを特徴とする請求項１に記載の治癒支台柱。
【請求項３】
前記傾斜区間と前記広幅直線区間とが相互触れ合う領域は、ラウンディング処理されることを特徴とする請求項１に記載の治癒支台柱。
【請求項４】
前記本体部は、
前記傾斜区間を挟んで前記広幅直線区間の反対側に形成され、外面が所定長手区間にわたって直線に形成されるが、前記広幅直線区間より直径がさらに小さな狭幅直線区間をさらに含むことを特徴とする請求項１に記載の治癒支台柱。
【請求項５】
前記結合部の反対側に位置する前記本体部の露出上端面は、印象コーピングとの結合のために平らに加工されていることを特徴とする請求項１に記載の治癒支台柱。
【請求項６】
前記本体部の上端部の角は、ラウンディング処理されたことを特徴とする請求項１に記載の治癒支台柱。
【請求項７】
前記本体部の最大直径は、前記フィクスチャ−の最大直径と実質的に同一であるかそれより小さなことを特徴とする請求項１に記載の治癒支台柱。
【発明の詳細な説明】
【技術分野】
【０００１】
本発明は、治癒支台柱及びそれを備えた歯科用インプラントに係り、より詳細には、従来より審美性が向上したインプラント施術結果を得ることができ、歯茎とインプラントとの間に細菌の浸透や異物の流入を遮断できる治癒支台柱及びそれを備えた歯科用インプラントに関する。
【背景技術】
【０００２】
インプラントは、元々人体組職が喪失された時、回復させる代置物を意味するが、歯科では人工で作った歯牙を移植することを言う。喪失された歯根(根)の代わりに人体に拒否反応のないチタンなどで作った歯根を歯が抜けた歯槽骨に植えた後、人工歯牙を固定させて歯牙の機能を回復させる施術である。
【０００３】
一般補綴物や総入れ歯の場合、経時的に周りの歯牙と骨とが痛むがインプラントは周辺歯牙組職を傷まないようにし、自然歯牙と機能や形状が同じながらも虫歯が生じないので半永久的に使用できる長所がある。
【０００４】
また、イプラントは、単一欠損歯の修復はもとより部分無歯牙及び完全無歯牙患者に義歯の機能を増進させて歯牙補綴修復の審美的な面を改善させる。ひいては周りの支持骨組職に加えられる過度な応力を分散させることはもちろん、歯列の安定化に助けになる。
【０００５】
このように歯科で行うインプラント施術は、歯茎骨、すなわち歯槽骨にインプラントを埋植する手術過程と、植えられたインプラントに支台柱を連結して人工歯牙を装着する補綴過程に仕分けされる。
【０００６】
このようなインプラントの施術法は、多様にあり得るがその中の一例について説明すれば、次のようである。以下で説明されるインプラント施術法は、補綴過程で印象を採得する時、口腔内で印象コーピング(Impression  coping)を連結して口腔内のモデルを完成するフィクスチャ−レベルインプレッション(Fixture Level Impression)方法である。
【０００７】
まず、歯槽骨にドリリング(drilling)及びタッピング(tapping)過程を経てフィクスチャ−(Fixture)サイズに符合する溝を形成し、フィクスチャ−上部にマウント(Mount)を締結する。そしてから手術用ハンドピースを用いてフィクスチャ−とマウントとを歯槽骨に埋植した後、マウントをフィクスチャ−から除去することによって、歯槽骨にフィクスチャ−を埋植する。そして、フィクスチャ−の上部に覆いネジを締結してフィクスチャ−を縫合することで1次手術が完了される。
【０００８】
覆いネジは、フィクスチャ−の骨融合を待つ間、口腔内に存在する細菌及び異物がフィクスチャ−の内部に侵入することを遮断する。骨融合期間は患者の骨質と埋植位置によって多少異なるが、一般的に3ヶ月ないし6ヶ月が所要される。
【０００９】
引き継き、2次手術を通じて歯茎を開いて覆いネジを露出させた後、フィクスチャ−の 骨融合程度を確認して覆いネジを除去する。そして、審美的な歯茎形成のために治癒支台柱(Healing Abutment)をフィクスチャ−の上部に締結し、2週ないし3週の間待つ。近来には、このような2次施術法の複雑性を改善するため、覆いネジを締結及び除去過程を省略し、すぐ治癒支台柱を締結する1次施術法が使われることもある。
【００１０】
次に、審美的な歯茎形成を確認した後、治癒支台柱を除去し、補綴物製作のために印象コーピングをフィクスチャ−上部に締結する。引き継き、印象材を使って口腔内で予備印象を採得して印象コーピングを除去する。
【００１１】
その後に、歯牙模型を製作して人工歯牙、すなわち人工歯冠を技工した後、フィクスチャ−上部に支台柱を締結し、支台柱上に補綴物、すなわち人工歯冠を固定して人工歯牙を完成する。
【００１２】
このようにインプラントの施術時には、一般的に審美的な歯茎形成のために治癒支台柱が使われる。最近には、インプラント施術が広く施行され、その技術が多く公知されて発展しているために、インプラント施術結果がインプラント施術後の審美的な結果として患者の間で話題となり、したがってインプラント施術後、審美的な結果がさらに重要視されている。
【００１３】
図１は、従来の一実施形態による治癒支台柱がフィクスチャ−に結合された状態を図示した図面であり、図２は、図１の治癒支台柱が除去された後、フィクスチャ−上部に支台柱及び人工歯冠が結合された状態を図示するための図面であって、これら図面に図示されたように、治癒支台柱１０３は、支台柱１０５を締結して支台柱１０５上に人工歯冠１０６を固定して人工歯牙を完成する前に、歯槽骨８に埋植されたフィクスチャ−１０４に結合されて審美的な歯茎を形成させる役割を果たす。
【００１４】
ところが、従来の一実施形態よる治癒支台柱１０３においては、歯茎７と接触される治癒支台柱１０３の歯茎接触部位１１１aが、下端から上端に行くほど外面の直径が大きくなる構造を有するか、その外面の直径が人工歯冠１０６と結合のための支台柱１０５より大きい形状を有するので、図２の‘A'に図示されたように、インプラント１０１施術が完了された後、すなわち治癒支台柱１０３を除去して支台柱１０５をフィクスチャ−１０４に締結した後、人工歯冠１０６をその上に固定した時に、治癒支台柱１０３によって形成された歯茎７が崩れる現象が度々発生する問題点がある。言い替えれば、治癒支台柱１０３で審美的な歯茎７を形成したがインプラント１０１施術をしてからは、その歯茎７が維持できずに崩れる問題点があった。特に、歯茎７の形状が完全にインプラント１０１に密着されないながらも崩れた形状を有する場合、インプルラント１０１と歯茎７との間に生ずる隙間によってインプラント１０１のメタル(metal)が見えるか、メタルが隣接した歯牙に映ることで歯牙の間にブラックライン(black line)が形成される現象が発生して審美性が顕著に落ちる問題点がある。
【００１５】
また、歯茎７が崩れながら発生した歯茎７とインプラント１０１と間の隙間に細菌や異物が侵入できるので、インプラント１０１施術後、歯茎７が崩れば歯牙及び口腔内部を汚染させる恐れもある。
【発明の開示】
【発明が解決しようとする課題】
【００１６】
したがって、本発明の目的は、インプラント施術後、歯茎が崩れずに凸状を維持することができ、したがって、従来より向上した審美性を有する歯茎が形成することができるだけではなく、歯茎とインプラントと間の隙間を従来より確かに遮断して細菌の浸透や異物の流入を防止できる治癒支台柱及びそれを備えた歯科用インプラントを提供することである。
【課題を解決するための手段】
【００１７】
前記目的は、本発明によって、歯槽骨に埋植されるフィクスチャ−に結合された時に歯茎と接触される歯茎接触部位の少なくとも一部の部位が下端から上端に行くほど外面の直径が小くなるように傾いた傾斜区間を有する本体部と、前記本体部と結合されて前記本体部を前記フィクスチャ−に着脱可能に結合させる結合部と、を含むことを特徴とする治癒支台柱によって達成される。
【００１８】
ここで、前記フィクスチャ−に人工歯冠との結合のための支台柱(Abutment)の結合時に前記支台柱周りの歯茎形状は、前記本体部に接触された歯茎の形状よりさらに突出された形状を有することが望ましい。
【００１９】
前記傾斜区間は、外面から半径方向内側に向けて所定の曲率半径を有して凹状に形成されうる。
【００２０】
前記本体部は、外面が前記フィクスチャ−の上端に接する領域から所定長手区間にわたって直線に形成されるが、前記フィクスチャ−の上端に形成された突出部が挿入されて支持される挿入溝が内側に形成される広幅直線区間をさらに含むように構成されうる。
【００２１】
前記傾斜区間と前記広幅直線区間とが相互触れ合う領域は、ラウンディング(rounding) 処理されることが歯茎の損傷を防止するのにさらに望ましい。
【００２２】
前記本体部は、前記傾斜区間を挟んで前記広幅直線区間の反対側に形成され、外面が所定長手区間にわたって直線に形成されるが、前記広幅直線区間より直径がさらに小さな狭幅直線区間をさらに含みうる。
【００２３】
前記本体部の上端部には、上面から所定深さ陷沒形成された工具溝が形成され、前記工具溝には、前記印象コーピングが着脱可能に所定の長手区間にわたってネジが形成されたネジ部と、前記ネジ部に隣接するように配されて工具が挿入可能な工具係止部が設けられていることによって治癒支台柱に直接印象コーピングを結合させうる。
【００２４】
前記結合部の反対側に位置する前記本体部の露出上端面は、印象コーピングとの結合のために平らに加工されている。
【００２５】
前記本体部の上端部角は、ラウンディング処理されたことが歯茎の損傷防止にさらに有利である。
【００２６】
前記本体部の最大直径は、前記フィクスチャ−の最大直径と実質的に同一であるかそれより小さい。
【００２７】
前記本体部と前記結合部とは一体に設けられる。
【００２８】
また、前記目的は、本発明によって、歯槽骨に埋植されるフィクスチャ−と、前記フィクスチャ−に人工歯冠と結合のための支台柱が結合される前に前記フィクスチャ−に結合されて歯茎形状を形成するための治癒支台柱と、を含み、前記治癒支台柱は、前記歯槽骨に埋植される前記フィクスチャ−に結合時、歯茎と接触される歯茎接触部位の少なくとも一部の部位が下端から上端に行くほど外面の直径が小くなるように傾いた傾斜区間を有する本体部と、前記本体部と結合されて前記本体部を前記フィクスチャ−に着脱可能に結合させる結合部と、を含むことを特徴とする歯科用インプラントによっても達成される。
【００２９】
前記フィクスチャ−に人工歯冠との結合のための支台柱の結合時に前記支台柱周りの歯茎形状は、前記本体部に接触された歯茎の形状よりさらに突出された形状を有することが望ましい。
【００３０】
前記傾斜区間は、外面から半径方向内側に向けて所定の曲率半径を有して凹状に形成され、前記本体部の最大直径は、前記フィクスチャ−の最大直径と実質的に同一であるかそれより小さい。
【００３１】
前記本体部の上端部には、上面から所定深さ陷沒形成された工具溝が形成され、前記工具溝には、前記印象コーピングが着脱可能に所定の長手区間にわたってネジが形成されたネジ部と、前記ネジ部に隣接するように配されて工具が挿入可能な工具係止部が設けられていることによって治癒支台柱に直接印象コーピングを結合させうる。
【発明の効果】
【００３２】
本発明によれば、インプラント施術後、歯茎が崩れずに凸状を維持することができ、したがって、従来より向上した審美性を有する歯茎が形成することができるだけではなく、歯茎とインプラントとの間の隙間を従来より確かに遮断して細菌の浸透や異物の流入を防止できる。
【発明を実施するための最良の形態】
【００３３】
本発明と本発明の動作上の利点及び本発明の実施によって達成される目的を十分に理解するためには、本発明の望ましい実施形態を例示する添付図面及び添付図面に記載された内容を参照しなければならない。
【００３４】
以下、添付した図面を参照して、本発明の望ましい実施形態を説明することによって、本発明を詳しく説明する。各図面に付された同じ参照符号は、同じ部材を表わす。
【００３５】
図３は、本発明の一実施形態による治癒支台柱がフィクスチャ−に結合される状態を図示した斜視図であり、図４は、図３の治癒支台柱の断面図であり、図５ないし図７は、図３の治癒支台柱を備えた歯科用インプラントを使ってインプラント施術をする過程を説明するための図面である。
【００３６】
これら図面に図示されたように、本発明の一実施形態による治癒支台柱３は、本体部１０と、本体部１０に結合されて本体部１０をフィクスチャ−４に着脱可能に結合させる結合部２０とを備える。
【００３７】
本体部１０は、歯槽骨に埋植されるフィクスチャ−４に結合された時に歯茎と接触される歯茎接触部位１１aの少なくとも一部の部位が下端から上端に行くほど外面の直径が小くなるように傾いた傾斜区間１１と、傾斜区間１１の下部に延びて設けられる広幅直線区間１３とを備える。
【００３８】
傾斜区間１１は、外面から半径方向内側に向けて所定の曲率半径を有して凹状に形成される。傾斜区間１１は、歯茎７と接触される歯茎接触部位１１aであって、内側に凹状を有する。このような構造によって、インプラント施術後、従来より向上した審美性を有する歯茎７形成が達成されうる。
【００３９】
これをさらに詳しく説明すれば、本発明の一実施形態による治癒支台柱３によって形成された歯茎７は、フィクスチャ−４に人工歯冠６との結合のための支台柱５が結合される時に、図６に詳細に図示されたように、両側に押される。これは人工歯冠６との結合のための支台柱５が歯茎７と接触される領域でさらに大きい嵩を有するためであり、また、歯茎７が軟組織なので一定程度収縮と膨脹が可能であるためである。したがって、フィクスチャ−４に人工歯冠６との結合のための支台柱５が結合された時に歯茎７が両側に押されて形成される支台柱５周りの歯茎７形状は、審美的な歯茎７形成のために治癒支台柱３がフィクスチャ−４に結合された当時の歯茎７の形状より上方にさらに突出された形状を有する。
【００４０】
これによって、従来の治癒支台柱３を使うことで発生したインプラント１施術時、発生した歯茎７が崩れる現象や、歯茎７が低くてメタルが見えるかブラックラインが見える現象を防止してインプラント１施術後、従来より審美性を向上させることができ、またインプラント１と歯茎７との間の隙間をより確かに遮断して細菌の浸透や異物の流入を遮断できる。
【００４１】
一方、傾斜区間１１の下部に延びて設けられる広幅直線区間１３は、フィクスチャ−４に結合された時、フィクスチャ−４の上端に接する領域から外面が所定長手区間にわたって直線に形成される。広幅直線区間１３の内側には、フィクスチャ−４の上端に形成された突出部４aが挿入されて支持される挿入溝１４が形成されているが、治癒支台柱３がフィクスチャ−４に結合される時、フィクスチャ−４の突出部４aが広幅直線区間１３の内側に形成された挿入溝１４に挿入される。
【００４２】
このように本体部１０は、傾斜区間１１と広幅直線区間１３とを備えるが、後述する他の実施形態のように本体部１０は傾斜区間１１の上端から延びて形成される狭幅直線区間１５をさらに備えられうる。狭幅直線区間１５については本発明の他の実施形態で後述する。
【００４３】
本発明の一実施形態による治癒支台柱３の本体部１０をよく見れば、従来の治癒支台柱１０３(図１参照)とは違って、本体部１０の最大直径がフィクスチャ−４の最大直径と実質的に同一であるかそれより小さく設けられていることが分かる。したがって、本発明の治癒支台柱３で歯茎７を形成させた場合には、人工歯冠６のための支台柱５がフィクスチャ−４が結合される時、治癒支台柱３によって形成された歯茎７を両側に若干押さなければならず、これによってインプラント施術が完了された場合、歯茎７が凸状になってきれいな形状を有する。また、歯茎７とインプラント１との間には隙間が生じなくて異物や細菌が侵透する心配がない。
【００４４】
一方、治癒支台柱３は、インプラント施術過程でフィクスチャ−４に結合及び除去されるものなので施術時、歯茎７の間に出入りする。したがって、そのような過程で歯茎７と接触されて歯茎７が損傷されることを防止できるように柔らかい表面を有していなければならない。そして、一定期間、フィクスチャ−４に結合されているために舌が触れることができるが、舌が触れても柔らかい感じが伝わらなければならない。このために、本発明の治癒支台柱３は、本体部１０の傾斜区間１１と広幅直線区間１３とが相互触れ合う領域や、本体部１０の上端部、すなわち本実施形態の場合、傾斜区間１１の上端部の角がラウンディング処理される。
【００４５】
一方、インプラント施術時には、補綴過程があるが、フィクスチャ−４上方に人工歯牙、すなわち人工歯冠６を装着する補綴過程で口腔内状況を外にそのまま再現して初めて技工所で人工歯冠６を正確に作ることができる。このために、一応口腔内状況を外に再現してモデルを作らなければならず、そのようなモデルを作るためには印象を採得しなければならない。
【００４６】
支台柱５とフィクスチャ−４とを連結するネジを別途に製作して、このネジで支台柱５とフィクスチャ−４とを相互連結するツーピース支台柱(two-piece abutment)を使う場合、フィクスチャ−４レベルインプレッション形態で印象体を採得して、技工作業をするようにインプラント製造会社が勧めている。フィクスチャ−４レベルインプレッション方法は、口腔内で印象コーピング３０を連結しなければならない方法である。
【００４７】
従来の治癒支台柱１０３(図１参照)においては、印象コーピング３０を結合させにくい構造なので、治癒支台柱１０３を除去して印象コーピング３０をフィクスチャ−４に結合させた。従来の治癒支台柱１０３に印象コーピング３０を結合させにくい第一の理由は、印象コーピング３０を治癒支台柱１０３に結合させるための結合部が治癒支台柱１０３に設けられていなかったためである。
【００４８】
しかし、本発明では、本体部１０の上端部に形成された工具溝１７には印象コーピング３０が着脱可能に所定の長手区間にわたってネジ部１８と、治癒支台柱３をフィクスチャ−４に結合させる時、治癒支台柱３を回転させるための工具が挿入される工具係止部１９が設けられる。この工具係止部１９は、主に六角形の溝に設けられるが、この工具係止部１９の上端部に六角形の溝より直径が大きいネジ部１８を設けて印象コーピング３０に設けられたネジが結合されるようにする。本実施形態でネジ部１８は、工具係止部１９の上端部に設けられるが、本発明の権利範囲がこれに限定されず、工具係止部１９の下端部にこれより直径が小さなネジ部１８が設けられることもある。
【００４９】
このように工具溝１７に設けられたネジ部１８と工具係止部１９とによって、治癒支台柱３をフィクスチャ−４に結合させる時にはネジ部１８を経て工具係止部１９に工具を噛み合うようにして治癒支台柱３を回転させることでフィクスチャ−４に結合させ、印象を採得する時には印象コーピング３０を治癒支台柱３の工具溝１７のネジ部１８に結合させる。
【００５０】
従来の治癒支台柱１０３に印象コーピング３０を結合させにくい第二の理由は、従来の治癒支台柱１０３の場合、露出上端面が曲面形状を有するためである。これをさらに詳しく説明すれば、従来の治癒支台柱１０３においては、フィクスチャ−４の種類によって治癒支台柱の上端面の曲面形状が異なって設けられなければならない。したがって、治癒支台柱にすぐ印象コーピング３０を結合させるためには、それによって印象コーピング３０の下面が治癒支台柱の上端面の曲面形状にそれぞれ対応する多様な曲面をそれぞれ有する多様な種類の印象コーピング３０を製作しなければならない。しかし、これは現実的に管理側面や費用側面で望ましくなく、そのような多様な種類の印象コーピング３０を製作されることができなかったためである。
【００５１】
しかし、本発明の一実施形態の治癒支台柱３においては、結合部２０の反対側に位置する本体部１０の露出上端面が印象コーピング３０との結合のために平らに加工されている。そして、治癒支台柱３の本体部１０の露出上端面の直径が一番小さな治癒支台柱３を基準として印象コーピング３０の下面の直径をそれに該当する直径の大きさを有するように製作すれば、多くの種類ではない一つの印象コーピング３０が多様な治癒支台柱３に共用的に使用されうる。これによって印象コーピング３０を、使われるフィクスチャ−４の種類または使われる治癒支台柱３の種類に関わらずに共用的に使用できる。
【００５２】
一方、結合部２０は、本体部１０と結合されて本体部１０をフィクスチャ−４に着脱可能に結合させる。したがって、結合部２０には、フィクスチャ−４の上端部のネジ溝４bと螺合されるようにネジ２１が形成されている。このような結合部２０は、本体部１０と一体に設けられるが、別途に設けられて結合されることもある。
【００５３】
治癒支台柱３が結合されるフィクスチャ−４は、歯槽骨８に埋植される。フィクスチャ−４を自然歯牙の根のように歯槽骨８に完全に固定されるように骨癒着させ、骨癒着後、ここに支台柱５を連結させてその上に人工歯冠６を装着してインプラント人工歯牙を完成させる。フィクスチャ−４は、通常純粋チタンやチタン合金または他の人体拒否反応のない金属や金属合金またはセラミックスによって作られる。
【００５４】
フィクスチャ−４(図３参照)の上部面には、前述したように治癒支台柱３を正確に締結させるための六角ネジ頭形状の突出部４aが設けられており、突出部４aの中心から軸心方向に延びたネジ溝４bが形成されていて治癒支台柱３の結合部２０のネジ２１と結合する。このとき、突出部４aが治癒支台柱３の広幅直線区間１３の内側に形成された挿入溝１４に挿入される。
【００５５】
インプラントのフィクスチャ−４の長さは、臨床状況によって8mmないし19mmの範囲を有することができ、フィクスチャ−４の下端部にはフィクスチャ−４が歯槽骨８の穴に挿入される時、セルフタップピングのために中心軸に対して対称的に配された四つのセルフタップピング溝４cが形成されている。本実施形態では四つのセルフタップピング溝４cが形成されているが、本発明の権利範囲がこれに限定されず、セルフタップピング溝は三つなどのように場合によって適切に形成されうる。
【００５６】
以下では、本発明の一実施形態による治癒支台柱を備えたインプラントを使ってインプラント施術を施行する過程を図３ないし図７を参照して説明する。
【００５７】
まず、口腔内の施術しようとする歯槽骨８にドリリング及びタップピング過程を経てフィクスチャ−４サイズに符合する溝を形成する。以後、歯槽骨８に形成された溝にフィクスチャ−４を埋植する。そして、フィクスチャ−４の上部に覆いネジ(図示せず)を締結してフィクスチャ−４を縫合することで1次手術が完了される。骨融合期間は患者の骨質と埋植位置によって多少異なるが、一般的に3ヶ月ないし6ヶ月が所要される。
【００５８】
引き継き、2次手術を通じて歯茎７を開いて覆いネジを露出させた後、フィクスチャ−４の骨融合程度を確認して覆いネジを除去する。そして、審美的な歯茎７形成のために治癒支台柱３をフィクスチャ−４の上部に締結する。
【００５９】
ところが、このような2次施術法の複雑性を改善するため、前述した覆いネジを締結及除去する過程を省略してフィクスチャ−４を埋植する1次手術の時、すぐ治癒支台柱３をフィクスチャ−４に締結することもできる。
【００６０】
とにかく、治癒支台柱３がフィクスチャ−４に結合される時には、治癒支台柱３の結合部２０のネジ２１がフィクスチャ−４に内径に形成されたネジ溝４bに結合され、フィクスチャ−４の上端面にある六角ネジ頭形状の突出部４aが治癒支台柱３の下端面に設けられた挿入溝１４に結合されることで正確に治癒支台柱３とフィクスチャ−４とが結合される。
【００６１】
以後、歯茎７の形状維持のために縫合糸によって治癒支台柱３周りの歯茎７を縫合する。本発明の一実施形態の治癒支台柱３は、上端の直径が小さいために従来と違って、歯茎７の縫合が容易くて、また秀麗である。縫合段階を終えた後、審美的な歯茎７形成のために一定期間待つ。それでは、この期間中、治癒支台柱３の周辺に位置した歯茎７は治癒支台柱３の形状に合うように密着され、密着された形状をそのまま維持する。
【００６２】
このとき、本発明の一実施形態による治癒支台柱３が、外面から半径方向内側に向けて所定の曲率半径を有して凹状に形成される傾斜区間１１を備えているので、軟組織の歯茎７が内側に密着された形状を維持する。
【００６３】
審美的な歯茎７形成を確認した後、治癒支台柱３の平らな上端面に、図６に図示されたように、印象コーピング３０を治癒支台柱３の上端部のネジ部１８に締結した後、印象材を使って口腔内で印象を採得して印象コーピング３０を除去する。すなわち、従来の治癒支台柱３と違って、本発明の一実施形態による治癒支台柱３は、その上端面が平らであって一つの印象コーピング３０を多様な種類の治癒支台柱３に結合させることができ、また治癒支台柱３の上端部にネジ部１８が設けられることで治癒支台柱３を除去する必要なく治癒支台柱３にすぐ印象コーピング３０を結合させて口腔内の印象を採得できる。
【００６４】
その後に、歯牙模型を製作して人工歯牙、すなわち人工歯冠６を技工した後、フィクスチャ−４から治癒支台柱３を除去してフィクスチャ−４上部に支台柱５を締結し、支台柱５上に補綴物、すなわち人工歯冠６を固定して人工歯牙を完成する。
【００６５】
フィクスチャ−４上部に支台柱５を締結する時、治癒支台柱３によって形成された歯茎７の間に支台柱５を入れてフィクスチャ−４の上端面に支台柱５を結合するが、このとき支台柱５は、図７に図示されたように、治癒支台柱３より占める空間がさらに大きいためにフィクスチャ−４に結合時、歯茎７を外側に押し出す。これによって、図７の‘B'に図示されたように、軟組織の歯茎７は支台柱５や人工歯冠６の外面に完全に密着された状態で上方に突出されて従来より向上した審美的な形状を表わす。
【００６６】
このように、本発明の一実施形態によれば、インプラント施術後、歯茎７の形状を従来より突出された状態で人工歯牙に密着されるように維持させることで審美性を確保できるだけではなく、歯茎７と支台柱５または歯茎７と人工歯冠６との間の隙間が歯茎７によって遮断されることで口腔内の細菌や異物が人工歯牙と歯茎との間に侵透することを效果的に遮断できる。
【００６７】
以下では、添付された図面を参照して、本発明の他の実施形態による治癒支台柱を説明すれば、次のようである。但し、本発明の一実施形態による治癒支台柱で説明したところと同一なものについてはその説明を省略する。
【００６８】
図８は、本発明の他の実施形態による治癒支台柱の断面図であって、これに図示されたように、本発明の他の実施形態による治癒支台柱３aの本体部１０は、傾斜区間１１の上端から延びて設けられる狭幅直線区間１５をさらに備える。
【００６９】
インプラントのフィクスチャ−４は、口腔内の位置によって多様な大きさに製作されるために、治癒支台柱３も多様な大きさを有する。例えば、本実施形態の治癒支台柱３aが結合されるフィクスチャ−４の直径が、本発明の一実施形態に図示されたフィクスチャ−４の直径より小さな場合には、治癒支台柱３aの高さが本発明の一実施形態に図示された治癒支台柱３より高く設けられることが普通であるが、このような場合には、治癒支台柱３aが狭幅直線区間１５をさらに備える。
【００７０】
前述した実施形態では、本体部が傾斜区間外に広幅直線区間をさらに備えるか、広幅直線区間及び狭幅直線区間をさらに備えることについて前述したが、場合によっては本体部が傾斜区間だけでも形成することができる。
【００７１】
また、前述した実施形態では、本体部の傾斜区間が外面から半径方向内側に向けて所定の曲率半径を有して凹状に形成されることについて前述したが、本体部の傾斜区間は直線で形成されることもある。
【００７２】
このように、本発明は、記載した実施形態に限定されるものではなく、本発明の思想及び範囲を外れずに多様に修正及び変形できるということは、 当業者に自明なことである。したがって、そのような修正例または変形例などは、本発明の特許請求の範囲に属すると言わなければならない。
【産業上の利用可能性】
【００７３】
本発明は、歯科用インプラント関連技術分野に適用可能である。
【図面の簡単な説明】
【００７４】
【図１】従来の一実施形態による治癒支台柱がフィクスチャ−に結合された状態を図示した図面である。
【図２】図１の治癒支台柱が除去された後、フィクスチャ−上部に支台柱及び人工歯冠が結合された状態を図示するための図面である。
【図３】本発明の一実施形態による治癒支台柱がフィクスチャ−に結合される状態を図示した斜視図である。
【図４】図３の治癒支台柱の断面図である。
【図５】図３の治癒支台柱を備えた歯科用インプラントを使ってインプラント施術をする過程を説明するための図面である。
【図６】図３の治癒支台柱を備えた歯科用インプラントを使ってインプラント施術をする過程を説明するための図面である。
【図７】図３の治癒支台柱を備えた歯科用インプラントを使ってインプラント施術をする過程を説明するための図面である。
【図８】本発明の他の実施形態による治癒支台柱の断面図である。
【符号の説明】
【００７５】
１：歯科用インプラント
３：治癒支台柱
４：フィクスチャ−
５：支台柱
６：人工歯冠
７：歯茎
８：歯槽骨
１０：本体部
１１：傾斜区間
１１a：歯茎接触部位
１３：広幅直線区間
１４：挿入溝
１５：狭幅直線区間
１７：工具溝
１８：ネジ部
１９：工具係止部
２０：結合部
２１：ネジ
【図１】
0004694453.tif 000002
【図２】
0004694453.tif 000003
【図３】
0004694453.tif 000004
【図４】
0004694453.tif 000005
【図５】
0004694453.tif 000006
【図６】
0004694453.tif 000007
【図７】
0004694453.tif 000008
【図８】
0004694453.tif 000009